(57)【要約】【課題】カバーと抜き型を一体に成型しカバーや包装の材料を節減するとともに、抜き型上に識別用の標示を施し、均等に圧力を加えることができる抜き型を提供する。【解決手段】  カッター面を具えてなり、該カッター面がカッター面よりも大きいスポンジ層に接続し、該カッター面に対向する面及びスポンジ層の端縁部がスポンジ部と同じ大きさに形成されたカバー層に接続し、該カバー層には識別の機能を具えた標示が印刷される。【選択図】  図１
0003125658.tif 000002
【実用新案登録請求の範囲】
【請求項１】
カッター面を具えてなり、該カッター面がカッター面よりも大きいスポンジ層に接続し、該カッター面に対向する面及びスポンジ層の端縁部がスポンジ部と同じ大きさに形成されたカバー層に接続し、該カバー層には識別の機能を具えた標示が印刷されることを特徴とする抜き型。
【請求項２】
前記スポンジ層は抜き型よりも大きく形成され、４辺の端縁部が抜き型の端縁部から凸出して接続面を形成することを特徴とする請求項１に記載する抜き型。
【請求項３】
前記カバー層は透明なプラスチックフィルムからなり、表面に印刷が施された紙からなるフィルムに粘着接続し、その面積が抜き型よりも大きく、４辺の端縁部に接続面を形成してスポンジ層の接続面と互いに粘着接続することを特徴とする請求項１に記載する抜き型。
【請求項４】
前記カバー層は透明なプラスチックフィルムと表面に印刷が施された紙とによって形成され、該紙が抜き型と同じ大きさで抜き型のカッター面に対向する面に貼着し、該透明なフィルムは紙の表面を被覆し、形状、大きさがスポンジ層と同じで、４辺の端縁部とスポンジ層の端縁部に形成された接続面が粘着接続することを特徴とする請求項１に記載する抜き型。
【請求項５】
前記カバー層は繊維質のボードと表面に印刷が施された紙とによって形成され、該繊維質のボードの抜き型に対向する面が抜き型のカッター面に対向する面及びスポンジ層の接続面に粘着接続することを特徴とする請求項１に記載する抜き型。
【請求項６】
前記紙は表面が透明で明るさを具えたフィルムで被覆されていることを特徴とする請求項５に記載する抜き型。
【請求項７】
前記カバー層は図案、文字、バーコードなどの内のどれか一種類か、もしくはすべてが印刷されることを特徴とする請求項１に記載する抜き型。
【考案の詳細な説明】
【技術分野】
【０００１】
この考案は、抜き型に関し、特にケースと抜き型が一体に成型されてた抜き型に関する。
【背景技術】
【０００２】
手工芸品の製作が流行するに伴い、各種の図案、もしくは文字を切って組み合わせたカード、アルバム、パッチワーク、ポスター、窓、もしくは舞台などの設計の需要も次第に増加してきている。また、前述のような文字の図案の裁断は、抜き型の上に紙、プラスチック、アルバムなどの素材を設けて被覆し、カッターで素材を裁断して図案を形成する。
【０００３】
各種図案の幅広い需要により、手工芸品の製作者、もしくは消費者は市場で様々な包装のよい抜き型を購入して様々な異なる図案を切断することができる。このような抜き型の包装は通常、文字による説明、生産地、バーコード、もしくは図案などが表示された紙製のボード、もしくは紙の上に表示の上に抜き型を固定し、外側をビニール袋、もしくはケースで被覆して消費者が購入するために供する。
【０００４】
消費者は抜き型を購入した後、表示が記載された紙及びケースなどの包装を捨ててしまうため、材料費が無駄になるとともに、環境保護にも反する。また、従来の包装はコストが高いため、業者の負担の一つになっている。
【０００５】
包装を取り外した抜き型は突出した極細のカッターが表面に設けられているのみであるため、消費者はすぐにどのような図形なのか見分けることが難しい。また、名称、番号、生産地、商標など抜き型に関する情報を知ることができないため、抜き型を管理、もしくは使用する際に抜き型を探す場合に不便である。
【０００６】
また、包装を取り外した抜き型はカッターが外部に露出した状態になるため、カッターが磨耗、傷、汚れ、さびなどが発生し易く、使用者を傷つけることもある。このため、安全の問題から抜き型のカッター面を薄いスポンジで被覆してカッターが傷つくことを防ぐとともに、使用者の安全を保護し、裁断した素材がスムーズに型から外すことができるようにする。
【０００７】
カッター面はもともと抜き型の外部に設けられているため、上述のような欠点があるが、抜き型の図形を確認することができる。しかしながら、スポンジでカッター面を被覆すると、抜き型の図形を確認することが難しくなり、抜き型を探すことや管理がさらに困難になる。このため、従来の設計では抜き型の背面にコの字状のビニール製のカバーを形成して、該カバーの表面に抜き型の番号や商標などを表示している。しかしながら、該ビニール製のカバーは表面が平面状にならないため、加圧すると、カバーに亀裂が発生し易く、抜き型に圧力を加える点も均一にならない。
【考案の開示】
【考案が解決しようとする課題】
【０００８】
この考案は、カバーと抜き型を一体に成型しカバーや包装の材料を節減するとともに、抜き型上に識別用の標示を施し、均等に圧力を加えることができる抜き型を提供することを課題とする。
【課題を解決するための手段】
【０００９】
そこで、本考案者は従来の技術に見られる欠点に鑑みて鋭意研究を重ねた結果、カッター面を具えてなり、該カッター面がカッター面よりも大きいスポンジ層に接続し、該カッター面に対向する面及びスポンジ層の端縁部がスポンジ部と同じ大きさに形成されたカバー層に接続し、該カバー層には識別の機能を具えた標示が印刷される抜き型によって課題を解決できる点に着眼し、かかる知見に基づいて本考案を完成させた。
【００１０】
以下、この考案について具体的に説明する。
請求項１に記載のカッター面を具えてなり、該カッター面がカッター面よりも大きいスポンジ層に接続し、該カッター面に対向する面及びスポンジ層の端縁部がスポンジ部と同じ大きさに形成されたカバー層に接続し、該カバー層には識別の機能を具えた標示が印刷される。
【００１１】
請求項２に記載の抜き型は、請求項１におけるスポンジ層が抜き型よりも大きく形成され、４辺の端縁部が抜き型の端縁部から凸出して接続面を形成する。
【００１２】
請求項３に記載する抜き型は、請求項１におけるカバー層が透明なプラスチックフィルムからなり、表面に印刷が施された紙からなるフィルムに粘着接続し、その面積が抜き型よりも大きく、４辺の端縁部に接続面を形成してスポンジ層の接続面と互いに粘着接続する。
【００１３】
請求項４に記載する抜き型は、請求項１におけるカバー層が透明なプラスチックフィルムと表面に印刷が施された紙とによって形成され、該紙が抜き型と同じ大きさで抜き型のカッター面に対向する面に貼着し、該透明なフィルムは紙の表面を被覆し、形状、大きさがスポンジ層と同じで、４辺の端縁部とスポンジ層の端縁部に形成された接続面が粘着接続する。
【００１４】
請求項５に記載する抜き型は、請求項１におけるカバー層が繊維質のボードと表面に印刷が施された紙とによって形成され、該繊維質のボードの抜き型に対向する面が抜き型のカッター面に対向する面及びスポンジ層の接続面に粘着接続する。
【００１５】
請求項６に記載する抜き型は、請求項５における紙が表面が透明で明るさを具えたフィルムで被覆されている。
【００１６】
請求項７に記載する抜き型は、請求項１におけるカバー層が図案、文字、バーコードなどの内のどれか一種類か、もしくはすべてが印刷される。
【考案の効果】
【００１７】
この考案による抜き型は、カバーや包装の材料を省き、カバー、包装のコストを削減するとともに、包装材料の廃棄や無駄を防ぐため、環境保護の効果を有する。
【００１８】
また、この考案の抜き型はカバー層に図案など抜き型を識別する標示が印刷されているため、使用の際に抜き型を探す場合や、管理するために便利であるとともに、カバー層が設けられているため、安全性を高め、均一に押し圧でき、すばやく、きれいに材料を裁断することができる効果を有する。
【考案を実施するための最良の形態】
【００１９】
この考案は、カバーと抜き型を一体に成型しカバーや包装の材料を節減するとともに、抜き型上に識別用の標示を施し、均等に圧力を加えることができる抜き型であって、
かかるカッター面を具えてなり、該カッター面がカッター面よりも大きいスポンジ層に接続し、該カッター面に対向する面及びスポンジ層の端縁部がスポンジ部と同じ大きさに形成されたカバー層に接続し、該カバー層には識別の機能を具えた標示が印刷される構造と特徴を詳述するために具体的な実施例を挙げ、図示を参照にして以下に説明する。
【実施例】
【００２０】
図１から３は、この考案の実施例を開示したものである。図面によれば、この考案の抜き型１０は、突出したカッターを具えたカッター面１１がカッターを保護するためにスポンジ層２０に接続してなる。該スポンジ層２０とカッターが接触する部分には同じ図案が形成され、スポンジ層２０の面積は抜き型１０よりも大きく形成されているため、該スポンジ層の４辺の端縁部が抜き型１０の外周縁部から凸出して接続面２１を形成する。
【００２１】
抜き型１０のカッター面１１に対向する面１２は平面状のカバー層３０に接続する。該カバー層３０は抜き型１０に接続する面に透明なプラスチックの薄いフィルム３１を具えてなり、その面積はスポンジ層２０と同じで抜き型１０よりも大きく形成されているため、４辺の端縁部には接続面が形成され、スポンジ層２０の接続面２１と互いに粘着接続して、抜き型１０が内部に被覆される。
【００２２】
カバー層は平面状に形成され、軟質で弾性を具えてなり、スポンジ層がわずかに湾曲してカバー層と緊密に粘着接続するため、全体の構造が軽量で平面状にカバーされた状態になり、カバーと抜き型を一体に成型することができる。前述の構造により、抜き型は購入後、直接使用することができ、カバーや包装などを取り外す必要や、包装などによる余分なゴミが発生することがなく、環境保護に対する需要も満たすことができるとともに、余分なカバーや包装材料を削減するため、カバーや包装に係るコストを大幅に削減することができる。
【００２３】
図4は、この考案の他の実施例を開示したものである。抜き型１０のカッター面１１は、抜き型１０を保護するためスポンジ層２０に接続する。該スポンジ層２０は面積が抜き型１０よりも大きく形成され、４辺の端縁部が抜き型１０の外周縁部に凸出し、接続面２１を形成する。抜き型１０は、カッター面１１に対向する面が平面状のカバー層３０に接続する。該カバー層３０は、透明なプラスチックフィルム３３と、表面に図案が印刷された紙３２とを組み合わせて形成される。該紙３２は抜き型１０と同じ大きさに形成されるとともに、抜き型１０のカッター面１１に対向する面に貼着される。透明なプラスチックフィルム３３は紙３２の表面を被覆し、そのサイズはスポンジ層２０と同じに形成される。また、プラスチックフィルム３３は端縁部がスポンジ層２０の端縁部に形成された接続面２１と互いに粘着して接続されるため、抜き型１０が内部に被覆され、軽量で平面状のカバーが形成され、抜き型１０を識別することのできる標示機能を具えてなる。
【００２４】
図５は、この考案のその他の実施例を開示したものである。該抜き型１０はカッター面１１がスポンジ層２０に接続し、カッター面１１に対向する面が平面状のカバー層３０に接続する。該カバー層３０は、繊維質のボードと、表面に図案が印刷された紙を粘着して形成される。該紙３２は、表面が透明で明るさを具えたフィルムで被覆されているため、紙の表面の印刷が保護される。繊維質のボード３４は、内側面が抜き型１０のカッター面に対向する面とスポンジ層２０の端縁部に形成された接続面２１に接続するため、カバーと抜き型とを一体に成型するという目的を達成する。
【００２５】
上述のようにこの考案はカバーと抜き型が一体に成型されているため、安全性が高いだけでなく、カバーが軽くなり、包装材料の無駄を省き、包装のコストを削減するだけでなく、カバー層には抜き型の図案、名称、番号、バーコード、生産地などの情報を印刷することができるため、はっきりとした標示及び識別の機能を提供し、複数の抜き型を収納、管理する場合に便利であるとともに、使用の際に必要な抜き型を探す場合にも便利である。また、材料を裁断する場合も、平面状のカバー層が設けられているため均一に押し圧することができて、材料をスムーズに裁断することができる。
【００２６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２７】
【図１】この考案の抜き型の実施例を示した斜視図である。
【図２】図１に開示した抜き型を示した分解図である。
【図３】図１に開示した抜き型を示した断面図である。
【図４】この考案の他の実施例を示した断面図である。
【図５】この考案のその他の実施例を示した断面図である。
【符号の説明】
【００２８】
１０        抜き型
１１        カッター面
１２        面
２０        スポンジ層
２１        接続面
３０        カバー層
３１        透明なプラスチックフィルム
３２        紙
３３        プラスチックフィルム
３４        繊維質のボード
【図１】
0003125658.tif 000003
【図２】
0003125658.tif 000004
【図３】
0003125658.tif 000005
【図４】
0003125658.tif 000006
【図５】
0003125658.tif 000007